(57)【特許請求の範囲】
【請求項１】
ケーブルを電子機器のケースに固定するケーブルクランプ装置であって、
Ｖ字形に形成されたケーブル固定部を有するケーブルクランプ本体と、
前記ケーブル固定部に沿わせたケーブルを、前記ケーブル固定部に固定する止め紐と、
前記ケーブル固定部の一方の傾斜部から切り起し、頂部に他方の傾斜部に連続するよう形成した舌片と、
を備え、
前記ケーブル固定部に前記止め紐によりケーブルを固定した際、前記舌片の先端がケーブルに食い込むよう構成したことを特徴とするケーブルクランプ装置。
【発明の詳細な説明】
【０００１】
【発明の属する技術分野】
本発明は引き抜き強度を向上させたケーブルクランプ装置に関する。
【０００２】
【従来の技術】
従来この種のケーブルクランプ装置としては、例えば実開昭６２−１１８４８５号公報に記載されたものが公知である。
【０００３】
前記公報のケーブルクランプ装置は図９ないし図１１に示すように、ほぼＬ字形に形成されたクランプ本体ａの長辺部ｂ両側縁に、ほぼ半円状の切り欠きｃを複数設けると共に、長辺部ｂの長手方向に間隔を存して複数の紐挿通孔を穿設したもので、切り欠きｃにＸ字状に掛合した止め紐ｅ及び紐挿通孔ｄに挿通した止め紐ｆによって形状の異なる異種のケーブルｇ，ｈがクランプ本体ａに固定できるように構成されている。
【０００４】
【発明が解決しようとする課題】
しかし従来のケーブルクランプ装置では、切り欠きｃにＸ字状に掛合した止め紐ｅで例えば断面円形の丸ケーブルｇを固定した場合、止め紐ｅを強く締め付けて止め紐ｅを図１１に示すように丸ケーブルｇの外周面に食い込ませても、食い込み方向が丸ケーブルｇの軸線と直角にならないため、丸ケ−ブルｇに引っ張り力が作用した場合、クランプ本体ａより丸ケーブルｇがずれてしまい、丸ケーブルｇに取付けられたコネクタなどに引張り力が加わってコネクタなどが抜けてしまうなどの欠点がある。
【０００５】
特に径の細い丸ケーブルｇの場合、止め紐ｅの食い込み量が小さいため、引き抜き強度が弱いと共に、止め紐ｆでフラットケーブルｈをクランプ本体ａに固定する場合も、フラットケーブルｈに付する止め紐ｆの食い込み量が小さいため、大きな引き抜き強度が得られないなどの欠点があった。
【０００６】
本発明はかかる従来の欠点を改善するためになされたもので、ケーブルの引き抜き強度が向上でき、かつケーブルの固定作業が容易なケーブルクランプ装置を提供することを目的とするものである。
【０００７】
【課題を解決するための手段】
前記目的を達成するため本発明のケーブルクランプ装置は、ケーブルを電子機器のケースに固定するケーブルクランプ装置であって、Ｖ字形に形成されたケーブル固定部を有するケーブルクランプ本体と、前記ケーブル固定部に沿わせたケーブルを、前記ケーブル固定部に固定する止め紐と、前記ケーブル固定部の一方の傾斜部から切り起し、頂部に他方の傾斜部に連続するよう形成した舌片と、を備え、前記ケーブル固定部に前記止め紐によりケーブルを固定した際、前記舌片の先端がケーブルに食い込むように構成したものである。
【００１８】
前記構成により、ケーブル固定部に止め紐でケーブルを固定した際、エッジがケーブルに食い込むため、引き抜き強度の向上が図れるようになる。
【００１９】
前記目的を達成するため本発明のケーブルクランプ装置は、ケーブル固定部の一方の傾斜部より舌片を切り起すことにより、頂部に舌片のエッジを突出させたものである。
【００２０】
前記構成により、ケーブル固定部に止め紐でケーブルを固定した際、舌片の先端がケーブルに食い込むため、引き抜き強度の向上が図れるようになる。
【００２１】
前記目的を達成するため本発明のケーブルクランプ装置は、ケーブル固定部の頂部に、各傾斜部に亘って丸孔を開口することにより、各傾斜部に半円状のエッジを形成したものである。
【００２２】
前記構成により、ケーブル固定部に止め紐でケーブルを固定した際、丸孔のエッジがケーブルに食い込むため、引き抜き強度の向上が図れるようになる。
【００２３】
【発明の実施の形態】
本発明の実施の形態を図１ないし図３に示す図面を参照して詳述する。
【００２４】
図１は本発明のケーブルクランプ装置を使用した電子機器の斜視図、図２はケーブルクランプ装置にケーブルを固定した状態の平面図、図３は同正面図である。
【００２５】
電子機器のケース１後面には、ケーブル２を接続するための複数の端子３が設けられている。
【００２６】
ケーブル２は複数の芯線２ａを束ねて円筒状の被覆材２ｂで被覆した構造で、端子３の側方にこのケーブル２を固定するケーブルクランプ本体４が設置されている。
【００２７】
ケーブルクランプ本体４は、帯状の金属板を折り曲げ成形することにより形成されたほぼＶ字形の傾斜部４ａ，４ｂよりなるケーブル固定部４ｃと、傾斜部４ａ，４ｂの端部に形成された平板状の取付け部４ｄとよりなり、取付け部４ｄがスポット溶接などの固着手段によってケース１の後面にほぼ水平に固着されている。
【００２８】
ケーブルクランプ本体４の傾斜部４ａ，４ｂ両側は、ほぼ中間部より取付け部４ｄにかけて幅Ｗ３で切り欠かれていて、ケーブル固定部４ｃの頂部４ｅ側の幅Ｗ１に対して、傾斜部４ａ，４ｂのほぼ中間部より取付け部４ｄまでの幅Ｗ２が狭くなっておリ、これによって傾斜部４ａ，４ｂの両側に図３に示すように係止段部４ｆが形成されていると共に、係止段部４ｆには、ケーブル２をケーブルクランプ本体４のケーブル固定部４ｃに固定する止め紐６が係止されるようになっている。
【００２９】
次に前記構成されたケーブルクランプ装置の作用を説明すると、ケース１の後面に設けられた端子３には、ケーブル２の各芯線２ａが接続されておリ、電子機器の使用中にケーブル２に作用する引き抜き力が直接端子３と芯線２ａの接続部に加わらないようケーブル２をケース１の後面に固定する。
【００３０】
ケーブル２の固定に当っては、まずケーブルクランプ本体４のＶ字形ケーブル固定部４ｃとケース１の後面間に形成された隙間７に図１に示すように２本の止め紐６を挿通したら、この状態でケーブル固定部４ｃの傾斜部４ａ，４ｂ外側面にケーブル２を沿わせて、ケーブル固定部４ｃの各傾斜部４ａ，４ｂに止め紐６によりケーブル２を図２に示すように固定する。
【００３１】
このとき止め紐６を強く締め付けることにより、ケーブル２がケーブル固定部４ｃの傾斜部４ａ，４ｂに圧着されると同時に、ケーブル固定部４ｃの頂部４ｅがＶ字形に折り曲げられたケーブル２の谷部に食い込むため、ケーブル固定部４ｃとケーブル２の間に大きな摩擦力が発生し、これによってケーブル２の引き抜き強度を大幅に向上させることができる。
【００３２】
またケーブル固定部４ｃにケーブル２を固定する止め紐６が傾斜面４ａ，４ｂ両側の係止段部４ｆにそれぞれ係止されるため、ケーブル２に大きな引張り力Ｘが作用しても、係止段部４ｆによって止め紐６の移動が阻止されるため、ケーブル固定部４ｃに対してケーブル２を強固に固定することができる。
【００３３】
なおケーブル２が同軸ケーブルなどの場合、同軸ケーブルの最小許容曲げＲより小さいＲで折り曲げてしまうと、同軸ケ−ブルの電気的特性が損なわれるので、このようなケーブル２の場合は、図４に示すようにケーブル固定部４ｃの頂部４ｅを、最小許容曲げＲ以上の半径を有する湾曲部とすればよく、頂部４ｅとケーブル２の摩擦力は多少減少するが、止め紐６が係止段部４ｆに係止されて、ケーブル２がずれるのを阻止するため、十分な引き抜き強度が得られる。
【００３４】
また固定するケーブル２の径に応じて切欠きの幅Ｗ３を変えることにより、ケーブル固定部４ｃの幅Ｗ２を変更したケーブルクランプ本体４を複数種類製作し、これらケーブルクランプ本体４を図５に示すように、ビスなどの固着具８によりケース１に選択的に取付けるようにすれば、ケーブル２の径の応じて最適な引き抜き強度が得られるようになる。
【００３５】
この場合固定するケーブル２の径が変更になった際、ケース１よりケーブルクランプ本体４を取外して、固定するケーブル２の径に合ったものに簡単に交換することができる利点があると共に、切欠きの幅Ｗ３を変えて、ケーブル固定部４ｃの幅Ｗ２を固定すべきケーブル２の外径より小さくすることにより、止め紐６を締め付けた際に、より大きな引き抜き強度が得られるようになる。
【００３６】
一方図６ないし図８はケーブルクランプ本体４の変形例を示すもので、次にこれを説明する。
【００３７】
なお前記実施の形態と同一部分は同一符号を付してその説明は省略する。
【００３８】
図６の（イ）（ロ）に示す変形例は、ケーブルクランプ本体４の頂部４ｅに角形の止め孔４ｇを開口したもので、止め孔４ｇは頂部４ｅより一方の傾斜部４ａにかけて形成されておリ、これによって頂部４ｅには他方の傾斜部４ｂのエッジ４ｈが突出するため、ケーブル固定部４ｃに止め紐６でケーブル２を固定した際、エッジ４ｈがケーブル２に食い込むため、引き抜き強度の向上が図れるようになる。
【００３９】
また図７の（イ）（ロ）に示す変形例は、ケーブル固定部４ｃの一方の傾斜部４ａから舌片４ｉを切り起して、頂部４ｅに他方の傾斜部４ｂに連続する舌片４ｉを形成したもので、ケーブル固定部４ｄに止め紐６によりケーブル２を固定した際、舌片４ｉの先端がケーブル２に食い込むため、引き抜き強度の向上が図れるようになる。
【００４０】
なお前記実施の形態及び変形例では、何れもケーブルクランプ本体４を金属板で形成した場合であるが、合成樹脂により成形してもよい。
【００４１】
【発明の効果】
本発明は、実施例の説明から明らかなように、ケーブルを電子機器のケースに固定するケーブルクランプ装置であって、Ｖ字形に形成されたケーブル固定部を有するケーブルクランプ本体と、前記ケーブル固定部に沿わせたケーブルを、前記ケーブル固定部に固定する止め紐と、前記ケーブル固定部の一方の傾斜部から切り起し、頂部に他方の傾斜部に連続するよう形成した舌片と、を備え、前記ケーブル固定部に前記止め紐によりケーブルを固定した際、前記舌片の先端がケーブルに食い込むように構成したので、舌片と、舌片の切り起こしによって生じた穴によってケーブルに対する食い込みを強化し、少ない部品点数で引き抜き強度の向上を図ることができる、という効果を有する。
【００４２】
【発明の効果】
本発明は以上詳述したように、ケーブルを電子機器のケースなどに固定するケーブルクランプ装置を、ほぼＶ字形に形成されたケーブル固定部を有するケーブルクランプ本体と、ケーブル固定部に沿わせたケーブルを、ケーブル固定部に固定する止め紐とより構成したことから、止め紐によりケーブルを締め付けると、ケーブルがＶ字形に折り曲げられてケーブル固定部に圧着されると同時に、頂部がケーブルに食い込むため、ケーブル固定部とケーブルの間に大きな摩擦力が発生し、これによってケーブルの引き抜き強度を大幅に向上させることができると共に、ケーブル固定部の各傾斜部とケースなどの間に形成される隙間に止め紐を通すだけでケーブルの固定作業が行えるため、ケーブルの固定作業が短時間で容易に行える。
【図面の簡単な説明】
【図１】本発明の実施の形態になるケーブルクランプ装置を使用した電子機器の斜視図
【図２】本発明の実施の形態になるケーブルクランプ装置の平面図
【図３】本発明の実施の形態になるケーブルクランプ装置の正面図
【図４】本発明の実施の形態になるケーブルクランプ装置の変形例を示す平面図
【図５】本発明の実施の形態になるケーブルクランプ装置の変形例を示す斜視図
【図６】（イ）本発明の実施の形態になるケーブルクランプ装置の変形例を示す正面図
（ロ）図６の（イ）のＡ−Ａ線に沿う断面図
【図７】（イ）本発明の実施の形態になるケーブルクランプ装置の変形例を示す正面図
（ロ）図７の（イ）のＢ−Ｂ線に沿う断面図
【図８】（イ）本発明の実施の形態になるケーブルクランプ装置の変形例を示す正面図
（ロ）図８の（イ）の矢印Ｃ方向からの矢視図
【図９】従来のケーブルクランプ装置の斜視図
【図１０】従来のケーブルクランプ装置の平面図
【図１１】図１０のＤ−Ｄ線に沿う断面図
【符号の説明】
１    ケース
２    ケーブル
４    ケーブルクランプ本体
４ａ，４ｂ  傾斜部
４ｃ  ケーブル固定部
４ｅ  頂部
４ｆ  係止段部
４ｇ  止め孔
４ｈ  エッジ
４ｉ  舌片
４ｋ  エッジ
６    止め紐
８    固着具
【図１】
0004599658.tif 000002
【図２】
0004599658.tif 000003
【図３】
0004599658.tif 000004
【図４】
0004599658.tif 000005
【図５】
0004599658.tif 000006
【図６】
0004599658.tif 000007
【図７】
0004599658.tif 000008
【図８】
0004599658.tif 000009
【図９】
0004599658.tif 000010
【図１０】
0004599658.tif 000011
【図１１】
0004599658.tif 000012